(57)【特許請求の範囲】
【請求項１】
酸素、炭酸ガス、又は酸素と炭酸ガスの混合ガス（以下、「ガス」という）を供給するガス供給手段と、
液体及びガスミストを貯留するタンクと、
前記液体を供給する第１及び第２の液体供給手段と、
前記第１の液体供給手段から供給される前記液体を前記タンクに導入する液体供給口と、
前記ガス供給手段から供給される前記ガスで前記第２の液体供給手段から供給される前記液体を粉砕溶解して前記ガスミストを前記タンク内に生成する流体ノズルと、
前記タンクから前記ガスミストを排出するガスミスト排出口と、
前記ガスミスト排出口に接続されて前記ガスミストを生体の上気道及び下気道の何れか又は両方に吸入させるための吸入口が設けられた吸入部材と、
前記タンク内に溜まった前記液体を取り出して、前記流体ノズルを介して再度前記タンク内に供給するための液体循環手段と、
前記液体循環手段により循環する液体を前記流体ノズルに加圧供給する液体加圧手段と、を備え、
前記ガスミストの吸入を行う際には、まず、前記液体循環手段によって前記液体を前記タンクから取り出した後に前記流体ノズルを経て前記タンクに戻る循環を一定時間継続し、次に前記タンクから取り出した前記液体を前記液体加圧器に供給してから前記液体循環手段を介して前記流体ノズルに加圧供給することを特徴とするガスミスト吸入器。
【請求項２】
前記ガス、液体、及びガスミストの供給状態を計測するセンサと、
該センサの計測値に基づき、前記ガス、液体の供給制御、及び、前記ガスミストの生成及び供給制御を行う制御手段と、
をさらに備えることを特徴とする請求項１に記載のガスミスト吸入器。
【請求項３】
前記ガスミストに電荷を付与する電荷付与手段をさらに備えることを特徴とする請求項１又は２に記載のガスミスト吸入器。
【請求項４】
前記電荷が、マイナス電荷であることを特徴とする請求項３に記載のガスミスト吸入器。
【請求項５】
前記第１又は第２の液体は、水、イオン水、オゾン水、生理食塩水、精製水、又は滅菌精製水の何れか一つ又は複数の組み合わせであることを特徴とする請求項１に記載のガスミスト吸入器。
【請求項６】
前記第１又は第２の液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、シリカ、ポピドンヨード、抗アレルギー剤、抗炎症剤、解熱鎮痛剤、抗真菌剤、抗インフルエンザウィルス剤、インフルエンザワクチン、ステロイド剤、抗ガン剤、又は血圧降下剤のうち、何れか一つ又は複数をさらに含有することを特徴とする請求項５に記載のガスミスト吸入器。
【請求項７】
前記吸入部材が、外気を取り込むための開口を有することを特徴とする請求項１に記載のガスミスト吸入器。
【請求項８】
前記ガスミスト生成手段が、ガスミストを供給するため前記吸入部材と前記ガスミスト生成手段とを接続するガスミスト供給管を有し、
該ガスミスト供給管が、管内に付着する液滴を除去するためのフィルターを備えることを特徴とする請求項１に記載のガスミスト吸入器。
【請求項９】
前記吸入部材と前記ガスミスト排出口とを接続するガスミスト供給管を有し、
前記ガスミスト供給管の全部又は一部がジャバラ状の管から構成されることを特徴とする請求項１に記載のガスミスト吸入器。
【請求項１０】
前記吸入部材と前記ガスミスト排出口とを接続するガスミスト供給管を有し、
前記ガスミスト供給管に、逆止弁を設けることを特徴とする請求項１に記載のガスミスト吸入器。
【請求項１１】
前記ガスミスト排出口が、複数の前記吸入部材に前記ガスミストを供給することを特徴とする請求項１に記載のガスミスト吸入器。
【請求項１２】
前記タンク内に、前記ガスミストを微細化するための細孔が設けられたプレートが一又は複数配置されていることを特徴とする請求項１に記載のガスミスト吸入器。
【発明の詳細な説明】
【技術分野】
【０００１】
本発明は、酸素、炭酸ガス、又は酸素と炭酸ガスの混合ガスと薬剤等の液体を粉砕溶解させたガスミストを生体に経口吸入させるためのガスミスト吸入器に関する。
【背景技術】
【０００２】
従来から、炭酸ガス（二酸化炭素：ＣＯ２）は、生体の皮膚及び粘膜に触れるだけでその部位に浸透し、浸透部位の血管を拡張させて血液循環を改善する作用があることが知られている。そしてこの血行促進作用により血圧降下、代謝の改善、疼痛物質や老廃物の排除促進等、様々な生理的効果を発揮する。また、抗炎症、抗菌作用も有している。このため近年、炭酸ガスは医療目的のほか、健康増進、美容促進といった点からも広く注目を集めている。【０００３】
生体の組織中で二酸化炭素は、赤血球内のヘモグロビンに結合して運ばれた酸素を放出させる働きがある。二酸化炭素濃度の高いところでは、赤血球はより多くの酸素を放出する。このように、赤血球による細胞への酸素の供給は、主に二酸化炭素がコントロールしている。つまり、二酸化炭素なしでは、ヘモグロビンは酸素が結合したままの状態となり、細胞は酸素を受け取ることができなくなってしまう。このように、二酸化炭素は、細胞の活動の結果出てくる老廃物のように思われがちだが、実は体の中で非常に重要な役割を果たしている。【０００４】
また、近年では、高濃度酸素も、新陳代謝の活性、疲労回復、血圧の安定等に効果があることが広く知られている。このほかに酸素は、酸化作用による殺菌、滅菌効果をも有している。【０００５】
ところで、喘息やアレルギー性鼻炎等、呼吸器系疾患の症状の緩和には、従来から吸入器や点鼻スプレーを用いた薬剤や蒸気等の経口、経鼻吸入が行われている。【０００６】
また、近年ではインフルエンザウィルスに対する粘膜免疫を形成するための経鼻ワクチン（スプレー式点鼻ワクチン）が開発され、その高い効果が注目を集めている。この経鼻ワクチンは、一般に皮下に注射するワクチンよりインフルエンザ発症を防止する効果が高く、また、注射型と異なり様々なウィルス株に対して有効に働くという利点がある。さらに、インフルエンザの予防や治療においても、吸入投与される抗ウィルス剤が開発されている。
【発明の概要】
【発明が解決しようとする課題】
【０００７】
しかしながら、上記のような薬剤に炭酸ガス又は酸素を溶解させ、薬剤の効果に加えて生体にガスの生理作用を及ぼすことができる吸入器は、これまでになかった。【０００８】
そこで本発明は、上記状況に鑑み、炭酸ガス又は酸素の生理作用を利用した簡便かつ効果の優れたガスミスト吸入器を提供することを目的とする。
【課題を解決するための手段】
【０００９】
本発明は、上記課題を解決するために、酸素、炭酸ガス、又は酸素と炭酸ガスの混合ガス（以下、「ガス」という）を供給するガス供給手段と、液体及びガスミストを貯留するタンクと、前記液体を供給する第１及び第２の液体供給手段と、前記第１の液体供給手段から供給される前記液体を前記タンクに導入する液体供給口と、前記ガス供給手段から供給される前記ガスで前記第２の液体供給手段から供給される前記液体を粉砕溶解して前記ガスミストを前記タンク内に生成する流体ノズルと、前記タンクから前記ガスミストを排出するガスミスト排出口と、前記ガスミスト排出口に接続されて前記ガスミストを生体の上気道及び下気道の何れか又は両方に吸入させるための吸入口が設けられた吸入部材と、前記タンク内に溜まった前記液体を取り出して、前記流体ノズルを介して再度前記タンク内に供給するための液体循環手段と、前記液体循環手段により循環する液体を前記流体ノズルに加圧供給する液体加圧手段と、を備え、前記ガスミストの吸入を行う際には、まず、前記液体循環手段によって前記液体を前記タンクから取り出した後に前記流体ノズルを経て前記タンクに戻る循環を一定時間継続し、次に前記タンクから取り出した前記液体を前記液体加圧器に供給してから前記液体循環手段を介して前記流体ノズルに加圧供給することを特徴とするガスミスト吸入器を提供する。
【００１０】
なお、本願においては、液体を粉砕し微細な液滴にして気体（酸素、炭酸ガス、又は酸素と炭酸ガスの混合ガス）と接触混合させることを、粉砕溶解という。【００１１】
ここで、前記ガス、液体、及びガスミストの供給状態を計測するセンサと、このセンサの計測値に基づき、前記ガス、液体の供給制御、及び、前記ガスミストの生成及び供給制御を行う制御手段と、をさらに備えるようにしても良い。【００１３】
そして、前記ガスミスト生成手段が供給するミストに電荷を付与する電荷付与手段をさらに備えても良い。このとき、前記電荷は、マイナス電荷とするのが好適である。【００１４】
なお、前記第１又は第２の液体は、水、イオン水、オゾン水、生理食塩水、精製水、又は滅菌精製水の何れか一つ又は複数の組み合わせとするのが良い。そして、前記第１又は第２の液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、シリカ、ポピドンヨード、抗アレルギー剤、抗炎症剤、解熱鎮痛剤、抗真菌剤、抗インフルエンザウィルス剤、インフルエンザワクチン、ステロイド剤、抗ガン剤、又は血圧降下剤のうち、何れか一つ又は複数をさらに含有するのが好ましい。【００１５】
また、前記ガスミスト生成手段は、ガスミストを供給するため前記吸入部材と前記ガスミスト生成手段とを接続するガスミスト供給管を有し、そのガスミスト供給管が、管内に付着する液滴を除去するためのフィルターを備えるのが好適である。またそのガスミスト供給管の全部又は一部は、ジャバラ状の管から構成されるのが好適である。また、このガスミスト供給管には、逆止弁を設けるのが良い。このとき、このガスミスト生成手段は、前記ガスミスト供給管により複数の吸入部材と接続されても良い。【００１６】
また、前記ガスミスト生成手段は、前記液体及びガスミストを貯留するためのタンクを備え、このタンク内には、前記ガスミストを微細化するための細孔が設けられたプレートが一又は複数配置されているのが好適である。
【発明の効果】
【００１７】
本発明のガスミスト吸入器によれば、吸入器の通常の効果に加えて、ガスミストの生理作用により、薬液を上気道及び下気道に浸透させるだけでなく、患部の血流を盛んにし、炎症などを早く鎮める、免疫力を上昇させる等の効果を発揮することができる。
【図面の簡単な説明】
【００１８】
【図１】本発明の一実施形態に係るガスミスト吸入器の全体の構成を示す概略図である。
【図２】本発明のガスミスト吸入器のガスミスト生成装置内に配置されるプレートの一例を示す模式図である。
【図３】本発明のガスミスト吸入器に用いられるガスミスト吸入管の一例を示す模式図である。
【図４】本発明のガスミスト吸入器に用いられる吸入部材の一例を示す模式図である。
【図５】本発明のガスミスト吸入器において、複数の吸入部材を用いる場合の一例を示す模式図である。
【図６】本発明のガスミスト吸入器において、複数の吸入部材を用いる場合の分岐の形態の一例を示す模式図である。
【図７】本発明の他の実施形態に係るガスミスト吸入器の全体の構成を示す概略図である。
【発明を実施するための形態】
【００１９】
以下、本発明の実施の形態について、図面を参照しながら詳細に説明する。
【００２０】
図１は、本発明の一実施形態に係るガスミスト吸入器の全体の構成を示す概略図である。図１に示すように、本実施形態のガスミスト吸入器１は、酸素、炭酸ガス、又は酸素と炭酸ガスの混合ガス（以下、「ガス」という）を供給するガス供給手段１１と、第１及び第２の液体供給手段２１Ａ、２１Ｂと、ガスと第１及び第２の液体を粉砕溶解させたミスト（ガスミスト）を生成するガスミスト生成装置３１と、液体循環手段４１と、ガスミスト生成装置３１内に溜まった液体を再度ガスミスト生成装置３１に加圧供給する液体加圧器５１と、ガスミストの生成制御及び供給制御を行う制御装置６１と、生成されたガスミストを生体に吸入させるための吸入マスク（吸入部材）７１と、から構成される。
【００２１】
ガス供給手段１１は、ガスミスト生成手段に酸素、炭酸ガス、又は酸素と炭酸ガスの混合ガスを供給する。ガスとして酸素を供給する場合、酸素濃度は、４０〜９８％程度が好適である。このガス供給手段１１としては、ガスボンベ等を用いる。なお、ガス供給手段１１には、ガスの圧力調整のためのレギュレータ１２が設けられている。また、図示は省略するが、ガス供給手段１１には、ガスを加温するためのヒータや、温度制御のための温度計を配置しても良い。
【００２２】
第１及び第２の液体供給手段２１Ａ、２１Ｂは、ポンプ等から構成され、ガスミスト生成装置３１にそれぞれ液体を供給する。この液体としては、水、イオン水、オゾン水、生理食塩水、精製水、滅菌精製水を用いるのが好適である。さらに、これらの液体に使用者の疾患、症状等に有効な薬剤を含有させても良い。薬剤とは、例えば、抗アレルギー剤、抗炎症剤、解熱鎮痛剤、抗真菌剤、抗インフルエンザウィルス剤、インフルエンザワクチン、ステロイド剤、抗ガン剤、血圧降下剤等が挙げられる。さらに、清涼作用のあるメンソールや、血行を促進させるビタミンＥ、皮膚組織に吸収されやすく美肌効果の高いビタミンＣ誘導体、皮膚の角化作用を正常にし粘膜を保護するレチノール、粘膜への刺激を和らげるための麻酔薬、臭気を除去するためのシクロデキストリン、殺菌、消炎効果のある光触媒、又は光触媒とアパタイトの複合体、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して、ガスの生理作用との相乗効果を生じさせることも可能である。あるいは、シリカ、ポピドンヨードを添加しても良い。
【００２３】
第１の液体供給手段２１Ａの液体はガスミスト生成装置３１の液体供給口３４から供給する。第２の液体供給手段２１Ｂの液体はガスミスト生成装置３１の流体ノズル３３に供給する。なお、第１及び第２の液体供給手段２１Ａ、２１Ｂにはそれぞれ、液体を加温して供給する（例えば、水を４０℃程度の湯にする）ためのヒータ（図示せず）や、温度制御を行うための温度計（図示せず）を配置するのが望ましい。
【００２４】
ガスミスト生成装置３１は、液体及びガスミストを貯留するタンク３２と、第２の液体供給手段２１Ｂ及び液体加圧器５１から供給される液体とガス供給手段１１から供給されるガスからガスミストを生成するための流体ノズル３３と、第１の液体供給手段２１Ａから供給される液体をタンク３２に貯留するための液体供給口３４と、タンク３２に溜まった液体を液体循環路４２に送るための液体排出口３５と、タンク３２内のガスミストを排出するためのガスミスト排出口３６と、このガスミスト排出口３６から吸入マスク７１へガスミストを供給するためのガスミスト供給管３７と、を備えている。
【００２５】
タンク３２の内部には、生成されたガスミストを微細化するための、一枚又は複数枚（図１では例として二枚）のプレート３２Ａ、３２Ｂが、貯留された液体の液面より上部に設けてられていても良い。図２にそのプレート３２Ａ、３２Ｂを示す。このように、プレート３２Ａ、３２Ｂには、それぞれ複数の細孔が設けられており、生成されたガスミストがこの細孔を通ることで微細化する。このとき、流体ノズル３３に近いプレート３２Ａと遠いプレート３２Ｂでは、遠いプレート３２Ｂの細孔の径がより小さくなるようにする。
【００２６】
流体ノズル３３（ここでは例として三流体ノズル）は、ガス供給手段１１から供給されるガスの高速流を利用して液体を粉砕溶解し、ガスミストを生成する。このとき、流体ノズル３３によって微細に粉砕される液滴は、マイナスイオンの効果を発揮することができる。
【００２７】
タンク３２には、第１の液体供給手段２１Ａから液体供給口３４を介して供給された液体とともに、流体ノズル３３が生成したガスミストが充満する。充満したガスミストは、ガスミスト排出口３６からガスミスト供給管３７を介して吸入マスク７１へ供給されるが、その一部はタンク３２内に溜まった液体に溶け込む。そのため、タンク３２内に溜まった液体は次第にガス溶解濃度が高くなる。この液体をさらに液体循環手段４１が循環させる。即ち、タンク３２内に溜まった液体をさらに液体循環路４２を通して流体ノズル３３へ導き、ガスミストにする。このとき発生するガスミストは、ガスがより多く溶解したミストとなる。そして、上記の循環を繰り返すことにより、ガスが高濃度に溶解したガスミストを生成することが可能となる。
【００２８】
液体循環手段４１は、液体循環路４２と、バルブ４３とから構成される。液体循環路４２は、ガスミスト生成装置３１の液体排出口３５から液体加圧器５１、及び流体ノズル３３に接続された、液体搬送用の経路である。この液体循環路４２にはバルブ４３が設けられ、液体排出口３５と流体ノズル３３を結ぶ経路、液体排出口３５と液体加圧器５１を結ぶ経路、及び液体加圧器５１と流体ノズル３３を結ぶ経路の何れかに切り替えることを可能にする。また、液体排出口３５と流体ノズル３３、及び液体排出口３５と液体加圧器５１の双方を同時に結ぶ切り替えが可能であっても良い。タンク３２内の液体を流体ノズル３３に循環させる際は、液体は液体排出口３５から第１の液体管路４２Ａ、バルブ４３、第３の液体管路４２Ｃの順に通り流体ノズル３３に至る。タンク３２内の液体を液体加圧器５１に充填する際は、液体は液体排出口３５から第１の液体管路４２Ａ、バルブ４３、第２の液体管路４２Ｂの順に通り液体加圧器５１に至る。液体加圧器５１に充填された液体を流体ノズル３３に送る際は、液体は液体加圧器５１から第２の液体管路４２Ｂ、バルブ４３、第３の液体管路４２Ｃの順に通り流体ノズル３３に至る。
【００２９】
なお、ガスミスト生成装置３１のガスミスト排出口３６から排出されたガスミストは、ガスミスト供給管３７から吸入マスク７１に供給される。このガスミスト供給管３７には、管内に付着する余分な液滴を取り除くための液滴除去フィルター３７Ａが設けられている。また、このガスミスト供給管３７の内部には、図示しないがガスミストの逆流を防止するための逆止弁を設けるようにする。
【００３０】
さらに、ガスミスト供給管３７は、図３に示すように、その全部又は一部が管径の太い柔軟なジャバラ状の管３７Ｃから構成されるのが好適である。このようにジャバラ状の管３７Ｃで構成すれば自在に曲がり、伸縮させることもできるため使用者の動きを制限することもない。また、ガスミスト供給管３７を流れるガスミストが次第に液化してもジャバラの凹凸部にその液体を取り除くことが可能となる。
【００３１】
液体加圧器５１は、例えばポンプ等からなり、ガスミスト生成装置３１のタンク３２内に溜まった、十分にガスが溶け込んだ液体が充填された後、その充填された液体をガスミスト生成装置３１の流体ノズル３３に加圧供給する。それにより、ガスミスト生成装置３１のタンク３２内にはガスがより溶解したガスミストが生成されるとともに、タンク３２内に溜まっていたガスミストをガスミスト排出口３６へと押し出すことが可能となる。液体加圧器５１には、圧力調整のための圧力計５２が設けられている。
【００３２】
制御装置６１は、ＣＰＵ、メモリ、ディスプレイ等を備えたコンピュータから構成されるのが好適である。制御装置６１は、ガス供給手段１１から供給するガスの圧力やオン・オフ切替、液体供給手段２１から供給する液体の量や圧力、温度、供給のオン・オフ切替、ガスミスト生成装置３１からのガスミスト供給のオン・オフ切替、バルブ４３の切替、液体加圧器５１の圧力やオン・オフ切替等々の各種制御を行い、最適な状態でガスミストの吸入ができるようにする。
【００３３】
なお、本発明のガスミスト吸入器１には、図示はしないが電源スイッチのほか、ガス供給圧設定部を設けるのが望ましい。これにより、例えば後述する複数の吸入部材を用いる場合でも最適な吸入が行える等、利用者の目的、用途に自由に対応することを可能とする。さらにオフタイマーを設けてガスの供給時間を設定することも可能である。つまり、オフタイマーで設定した時間が経過すると自動的にガスの供給を停止させることができる。
【００３４】
吸入マスク７１は、ガスミスト生成装置３１で生成されたガスミストを使用者が吸入しやすいよう使用者の呼吸器（ここでは鼻と口）を覆う形状を有する吸入部材である。この吸入マスク７１は、ガスミスト生成装置３１のガスミスト排出口３６とガスミスト供給管３７により接続され、使用者は吸入口７２よりガスミストを吸入する。吸入マスク７１には、外気を取り込み高濃度酸素や炭酸ガスの長時間吸引による弊害を防ぐために、開口７３を設けるのが好適である。
【００３５】
上記した本実施形態のガスミスト吸入器１を用いてガスミストの吸入を行う際には、まず、第１の液体供給手段２１Ａから液体をガスミスト生成装置３１へ供給し、タンク３２内に貯留する。次いで、液体排出口３５から第１の液体管路４２Ａ、バルブ４３、第３の液体管路４２Ｃを介して液体を流体ノズルに供給し、ガス供給手段１１から供給されるガスと粉砕溶解し、ガスミストを生成する。このように、液体循環手段４１によって液体がタンク３２から液体循環路４２、流体ノズル３３を経て再度タンク３２に戻るという循環状態を一定時間保持することにより、液体のガス溶解濃度を高める。次に、液体排出口３５から第１の液体管路４２Ａ、バルブ４３、第２の液体管路４２Ｂを介して、液体を液体加圧器５１に供給する。液体加圧器５１に十分に液体が充填されたら供給を停止する。次いで、液体加圧器５１から第２の液体管路４２Ｂ、バルブ４３、第３の液体管路４２Ｃを介して、液体を流体ノズル３３に加圧供給し、ガスミストを生成するとともに、タンク３２内に溜まっていたガスミストをガスミスト排出口３６から排出させる。排出されたガスミストは、ガスミスト供給管３７から吸入マスク７１へ至り、吸入口７２から使用者に吸入される。
【００３６】
なお、上記では吸入部材として鼻と口を覆うタイプの吸入マスク７１を使用する例を示したが、これ以外にも様々なタイプの吸入部材を用いることができる。
【００３７】
図４にその他の吸入部材の例を示す。図４（ａ）は、口からのみ吸入を行う場合に用いるマウスピース型の口用マスク１７１である。接続部１７４でガスミスト供給管３７と接続され、使用者は吸入口１７２からガスミストを口で吸入する。また、開口１７３を設けても良い。図４（ｂ）は、鼻からのみ吸入を行う場合に用いるノーズピース型の鼻用マスク２７１である。接続部２７４でガスミスト供給管３７と接続され、使用者は吸入口２７２からガスミストを口で吸入する。また、開口２７３を設けても良い。
【００３８】
さらに、上記では一つのガスミスト生成装置３１に対して一つの吸入マスク（吸入部材）７１を接続する例を示したが、複数の吸入マスク７１を接続する構成としても良い。図５及び図６に、複数の吸入部材を用いる場合のガスミスト吸入器の例を示す。なお、図１に示す第１の実施形態と同一の部分については、同一の符号を付して詳細な説明は省略する。
【００３９】
図５に示すように、ガスミスト生成装置３１と吸入マスク７１（７１ａ，７１ｂ，…７１ｎ）の間に、複数に分岐するガスミスト供給管３７を設ける。これにより、ガスミスト生成装置３１に対して複数の吸入マスク７１を接続することが可能となる。このとき、ガスミスト供給管３７の途中に、図６（ａ）に示すような分岐管３７Ｂを取り付けて、他のガスミスト供給管３７と繋ぐことで、図６（ｂ）に示すように簡易に複数に分岐させても良い。
【００４０】
図７は、本発明の他の実施形態に係るガスミスト吸入器の全体の構成を示す概略図である。本実施形態では、発生させたガスミストを帯電させるための手段をさらに備えたガスミスト吸入器２について説明する。なお、図１に示す第１の実施形態と同一の部分については、同一の符号を付して詳細な説明は省略する。
【００４１】
図７に示すように、本実施形態のガスミスト吸入器では、ガスミスト生成装置３１のガスミスト排出口３６に、電極８２が配置されている。電極８２は電源装置８１に接続されており、制御装置６１により電圧値の設定、及びオン・オフの切替制御が行われる。
【００４２】
電極８２は、ガスミスト生成装置３１が発生させたガスミストがガスミスト排出口３６から排出される際に電荷（マイナスの電荷が望ましい）を付与する。それによりガスミストを帯電状態とし、荷電した物体への付着性を高めることができる。例えば、生体の粘膜への付着性を高めれば、ガスミストの吸収率を向上させ、ガスミストに含まれる上記の薬剤等の粘膜への浸透を促進することができる。
【００４３】
上記のように本発明のガスミスト吸入器によれば、吸入器の通常の効果に加えて、ガスミストの生理作用により、薬液を上気道及び下気道に浸透させるだけでなく、患部の血流を盛んにし、炎症などを早く鎮める、免疫力を上昇させる等の効果を発揮することができる。
【００４４】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００４５】
本発明は、ガスミストを生体に経口吸入させるためのガスミスト吸入器に関するものであり、産業上の利用可能性を有する。
【符号の説明】
【００４６】
１、２  ガスミスト吸入器
１１    ガス供給手段
１２    レギュレータ
２１Ａ  第１の液体供給手段
２１Ｂ  第２の液体供給手段
３１    ガスミスト生成装置
３２    タンク
３２Ａ、３２Ｂ  プレート
３３    流体ノズル
３４    液体供給口
３５    液体排出口
３６    ガスミスト排出口
３７    ガスミスト供給管
３７Ａ  液滴除去フィルター
３７Ｂ  分岐管
３７Ｃ  ジャバラ状の管
４１    液体循環手段
４２    液体循環路
４２Ａ  第１の液体管路
４２Ｂ  第２の液体管路
４２Ｃ  第３の液体管路
４３    バルブ
５１    液体加圧器
５２    圧力計
６１    制御装置
７１    吸入マスク
７２    吸入口
７３    開口
８１    電源装置
８２    電極
１７１  口用マスク
１７２  吸入口
１７３  開口
１７４  接続部
２７１  鼻用マスク
２７２  吸入口
２７３  開口
２７４  接続部
【図１】
0005475765.tif 000002
【図２】
0005475765.tif 000003
【図３】
0005475765.tif 000004
【図４】
0005475765.tif 000005
【図５】
0005475765.tif 000006
【図６】
0005475765.tif 000007
【図７】
0005475765.tif 000008